(57)【要約】      （修正有）【課題】迅速かつ便利に組み立てることができ、安定性を確保することができる電子装置ハウジングの組み立て構造を提供する。【解決手段】電子装置ハウジングの組み立て構造は、第一ハウジング１０、第二ハウジング３０、複数の定位部品５０を備える。第一ハウジング１０は複数組のサポート体１２を備え、サポート体１２は、縦方向サポート部１６及び横方向突出部１８を備え、挟槽２０を形成する。第二ハウジング３０は、複数の穿孔３２を備え、各穿孔３２の内壁３４は、各組のサポート体１２の横方向突出部１８に相対し、接触固定面３６を備える。各定位部品５０は、挿入部５２、及び挿入部５２の端部に位置する頭部５４を備える。挟槽２０の開口の横方向幅は、挿入部５２の幅より小さい。挿入部５２が挟槽２０内に挿入されると、サポート体１２は定位部品５０により開かれ、しかも横方向突出部１８は接触固定面３６上に接触し固定される。【選択図】図２
0003158898.tif 000002
【実用新案登録請求の範囲】
【請求項１】
電子装置ハウジングの組み立て構造は、第一ハウジング、第二ハウジング、複数の定位部品を備え、
前記第一ハウジングは、複数の係合ロック部を備え、前記各係合ロック部は、相互に間隔を隔て、かつ相対する１組のサポート体を備え、前記各サポート体は、縦方向サポート部及び横方向突出部を備え、前記横方向突出部は、前記縦方向サポート部から延伸し、しかも前記サポート体の間には、挟槽を形成し、前記一対のサポート体の横方向突出部は、挟槽の開口を形成し、
前記第二ハウジングは、前記第一ハウジングと組み立て、しかも前記第一ハウジングと前記第二ハウジング組み立て後は、内部空間を共同で定義し、前記第二ハウジングは、複数の穿孔を備え、前記第一ハウジングの各係合ロック部に対応し、前記各穿孔の内壁は、前記第一ハウジングのサポート体の横方向突出部に相対して、接触固定面を備え、
前記複数の定位部品は、挿入部、及び前記挿入部の相対端に位置する頭部を備え、
前記挟槽の開口横方向幅は、前記挿入部の幅より小さく、しかも前記定位部品の挿入部は、前記第一ハウジングの挟槽内に挿入され、前記第一ハウジングのサポート体は、前記定位部品により開かれ、しかも前記一対のサポート体の横方向突出部は、前記第二ハウジングの接触固定面上に接触し固定されることを特徴とする電子装置ハウジングの組み立て構造。
【請求項２】
前記一対のサポート体の間は、相互に向かい合って所定角度の傾斜を呈することを特徴とする請求項１に記載の電子装置ハウジングの組み立て構造。
【請求項３】
前記定位部品の挿入部は、直線部分、及び前記直線部分から延伸する徐々に縮小する部分を備え、前記一対のサポート体間の挟槽に相対し、しかも前記徐々に縮小する部分の最小幅は、前記挟槽の開口横方向幅より小さいことを特徴とする請求項１に記載の電子装置ハウジングの組み立て構造。
【請求項４】
前記一対のサポート体は、フランジを備え、前記挟槽の開口位置に対応し、前記挿入部の直線部分は、凹縁を備え、前記一対のサポート体のフランジに対応し、これにより前記定位部品を前記挟槽内に挿入する時には、前記定位部品の凹縁と前記一対のサポート体のフランジは相互に係合して固定されることを特徴とする請求項３に記載の電子装置ハウジングの組み立て構造。
【請求項５】
前記一対のサポート体は、たわみ性を備える材質を採用し、前記第一ハウジングより延伸して成型されることを特徴とする請求項１に記載の電子装置ハウジングの組み立て構造。
【請求項６】
前記第二ハウジングの穿孔幅は、前記第一ハウジングのサポート体の横方向突出部外側端縁の間の横方向幅より大きいことを特徴とする請求項１に記載の電子装置ハウジングの組み立て構造。
【請求項７】
ハウジング組み立て構造は、第一ハウジング、第二ハウジング、定位部品を備え、
前記第一ハウジングは、相互に間隔を隔て、かつ相対する１組のサポート体を備え、前記各サポート体は、縦方向サポート部及び横方向突出部を備え、横方向突出部は、前記縦方向サポート部から延伸し、しかも前記サポート体の間には、挟槽を形成し、前記一対のサポート体の横方向突出部は、挟槽の開口を形成し、
前記第二ハウジングは、穿孔を備え、前記第一ハウジングの一対のサポート体に対応し、しかも前記穿孔の内壁は、前記第一ハウジングのサポート体の横方向突出部に相対して、接触固定面を備え、
前記定位部品は、挿入部、及び前記挿入部の相対端に位置する頭部を備え、前記挿入部の長さは、おおよそ前記第一ハウジングの挟槽の深さと相同で、
前記挟槽の開口横方向幅は、前記挿入部の幅より小さく、しかも前記定位部品の挿入部は、前記第一ハウジングの挟槽内に挿入され、前記第一ハウジングのサポート体は定位部品により開かれ、しかも前記サポート体の横方向突出部は、前記第二ハウジングの接触固定面上に接触し固定されることを特徴とする電子装置ハウジングの組み立て構造。
【請求項８】
前記一対のサポート体の間は、相互に向かい合って所定角度の傾斜を呈することを特徴とする請求項７に記載の電子装置ハウジングの組み立て構造。
【請求項９】
前記定位部品の挿入部は、直線部分、及び前記直線部分から延伸する徐々に縮小する部分を備え、前記一対のサポート体間の挟槽に相対し、しかも前記徐々に縮小する部分の最小幅は、前記挟槽の開口横方向幅より小さいことを特徴とする請求項７に記載の電子装置ハウジングの組み立て構造。
【請求項１０】
前記一対のサポート体は、フランジを備え、前記挟槽の開口位置に対応し、挿入部の直線部分は、凹縁を備え、前記一対のサポート体のフランジに対応し、これにより前記定位部品を前記挟槽内に挿入する時には、定位部品の凹縁と一対のサポート体のフランジは相互に係合して固定されることを特徴とする請求項９に記載の電子装置ハウジングの組み立て構造。
【請求項１１】
前記一対のサポート体は、たわみ性を備える材質を採用し、前記第一ハウジングより延伸して成型されることを特徴とする請求項７に記載の電子装置ハウジングの組み立て構造。
【請求項１２】
前記第二ハウジングの穿孔幅は、前記第一ハウジングのサポート体の横方向突出部外側端縁の間の横方向幅より大きいことを特徴とする請求項７に記載の電子装置ハウジングの組み立て構造。
【考案の詳細な説明】
【技術分野】
【０００１】
本考案は電子装置ハウジングの組み立て構造に関し、特に迅速に分解することができる電子装置ハウジングの組み立て構造に関する。
【背景技術】
【０００２】
一般に、電子装置ハウジングの組み立て構造は、複数のネジにより完成されている。よって、電子装置ハウジングの組み立て品質において、堅牢性は、各ネジがハウジング上に螺合され、その緊密度によって決まる。
【０００３】
しかし、ネジを一々螺合していく作業は、かなりの時間を費やし、しかもネジはハウジングネジ孔のネジヤマが崩れることで、緩み易く、或いはハウジングから脱落し易く、これにより電子装置のハウジングの堅牢性に影響を及ぼす。
【０００４】
また、Fuhrmann氏等が提出するアメリカ合衆国特許第７０９２５２０号（特許文献１）は、ネジをハウジング上に螺合して接続する方式を開示している。
本考案は、従来の電子装置ハウジングの組み立て構造の上記した欠点に鑑みてなされたものである。
【先行技術文献】
【特許文献】
【０００５】
【特許文献１】アメリカ合衆国特許第７０９２５２０号明細書
【考案の概要】
【考案が解決しようとする課題】
【０００６】
本考案が解決しようとする課題は、組み立て業者及び/或いは使用者が、便利に組み立て及び分解が可能な電子装置ハウジングの組み立て構造を提供することである。
【課題を解決するための手段】
【０００７】
上記課題を解決するため、本考案は下記の電子装置ハウジングの組み立て構造を提供する。すなわち、電子装置ハウジングの組み立て構造は、第一ハウジング、第二ハウジング、複数の定位部品を備え、該第一ハウジングは、複数の係合ロック部を備え、該各係合ロック部は、相互に間隔を隔て、かつ相対する１組のサポート体を備え、該各サポート体は、縦方向サポート部及び横方向突出部を備え、該横方向突出部は、該縦方向サポート部から延伸し、しかもサポート体の中央には、開口を備える挟槽を形成し、該一対のサポート体の横方向突出部は、挟槽の開口を定義し、該第二ハウジングは、該第一ハウジングと組み立て、しかも該第一ハウジングと該第二ハウジングを組み立て後は、内部空間を共同で定義し、該第二ハウジングは、複数の穿孔を備え、該第一ハウジングの各係合ロック部に対応し、該各穿孔の内壁は、該第一ハウジングのサポート体の横方向突出部に相対して、接触固定面を備え、該複数の定位部品は、挿入部、及び該挿入部の相対端に位置する頭部を備え、該挿入部の長さは、おおよそ該第一ハウジングの挟槽の深さと相同で、該定位部品の挿入部は、該第一ハウジングの挟槽内に挿入され、これにより該第一ハウジングのサポート体は該定位部品により開かれ、こうして該一対のサポート体の横方向突出部は該第二ハウジングの接触固定面上に接触し固定され、該一対のサポート体の間は、相互に向かい合って所定角度の傾斜を呈し、これにより該挟槽の開口横方向幅は、挿入部の幅より小さく、該一対のサポート体は、たわみ性を備える材質を採用し、該第一ハウジングより延伸して成型し、該定位部品の挿入部は、直線部分、及び該直線部分より延伸する徐々に縮小する部分を備え、該一対のサポート体の間の挟槽に相対し、しかも該徐々に縮小する部分の最小幅は、該挟槽の開口横方向幅より小さく、該一対のサポート体は、フランジを備え、該挟槽の開孔位置に対応し、該定位部品の直線部分は、凹縁を備え、該一対のサポート体のフランジに対応し、これにより該定位部品を該挟槽内に挿入する時には、該定位部品の凹縁は、該一対のサポート体のフランジと相互に係合して固定され、該第二ハウジングの穿孔幅は、該第一ハウジングのサポート体の横方向突出部外側端縁の間の横方向幅より大きい。
【考案の効果】
【０００８】
本考案電子装置ハウジングの組み立て構造により、組み立て業者は組み立て時にも工具に頼る必要がなくなり、迅速かつ便利に組み立てプロセスを完成させることができ、組み立て業者の生産時間とコストを大幅に低下させることができる。さらに、本考案の第一、二ハウジングは阻害のない対応設置であるため、ハウジング組み立て時の震動現象が発生せず、よって電子モジュールを第一、二ハウジング内に設置する時の安定性を確保することができる。
【図面の簡単な説明】
【０００９】
【図１】本考案実施例の分解図である。
【図２】本考案実施例の局部拡大分解図である。
【図３】（Ａ）は局部拡大図であり、（Ｂ）は本考案実施例の組合せ動作を示す模式図（一）である。
【図４】本考案実施例の組合せ動作を示す模式図（二）である。
【図５】（Ａ）は本考案実施例の組合せ動作を示す模式図（三）であり、（Ｂ）は局部拡大図である。
【考案を実施するための形態】
【００１０】
以下に図面を参照しながら本考案を実施するための最良の形態について詳細に説明する。
【００１１】
本考案実施例の分解図及びその局部拡大分解図である図１、２に示すように、本考案電子装置ハウジングの組み立て構造は、第一ハウジング10、第二ハウジング30、複数の定位部品50を備える。第一ハウジング10は、複数の係合ロック部12を備える。各係合ロック部12は、相互に間隔を隔て、かつ相対する１組のサポート体14を備える。各サポート体14は、縦方向サポート部16、及び縦方向サポート部16の端部から延伸する横方向突出部18を備える。しかも、一対のサポート体14の中央には、開口を備える挟槽20を形成する。好ましくは、一対のサポート体14は、たわみ性を備える材質を採用し、第一ハウジング10より延伸して成型する。好ましくは、一対のサポート体14は、フランジ22を備え、挟槽20の開孔位置に対応する。
【００１２】
第二ハウジング30は、複数の穿孔32を備え、第一ハウジング10の各係合ロック部12に対応する。各穿孔32の幅は、第一ハウジング10の各組のサポート体14の横方向突出部18端縁の間の横方向幅より大きく、しかも穿孔32の内壁34は、一対のサポート体14の横方向突出部18に相対し、横方向の接触固定面36を備える。これにより、一対のサポート体14が、外力を受け、穿孔32の内壁34へと移動すると、一対のサポート体14の横方向突出部18は、接触固定面36上に接触して固定される。
【００１３】
複数の定位部品50の数量の配置は、第一ハウジング10の各係合ロック部12に対応し、各定位部品50は、挿入部52、及び挿入部52の相対端に位置する頭部54を備える。挿入部52は、直線部分56、及び直線部分56より延伸する徐々に縮小する部分58を備える。徐々に縮小する部分58は、一対のサポート体14間の挟槽20に相対し、しかも徐々に縮小する部分58の最小幅L1は、挟槽20の開口横方向幅L2より小さい(図３参照)。本実施例中において、定位部品50の直線部分56は、好ましくは、凹縁60を備え、第一ハウジング10のサポート体14のフランジ22に対応し、これにより定位部品50を挟槽20内に挿入すると、定位部品50の直線部分56の凹縁60は、一対のサポート体14のフランジ22と相互に係合されて固定される。本実施例中において、一対のサポート体14の間は、相互に向かい合って、所定角度の傾斜を呈し、これにより挟槽20の開口横方向幅L2は、挿入部52の直線部分56の幅L3より小さくなる(図３参照)。
【００１４】
本考案実施例の組合せ状態模式図である図３〜５に示すように、第二ハウジング30の穿孔32幅は、第一ハウジング10の各組のサポート体14の横方向突出部18外側端縁の間の横方向幅よりやや大きいため、組み立て時には、第一ハウジング10のサポート体14と第二ハウジング30の穿孔32間に挿入して設置と組み立てを行うことには、全く抵抗感がない。定位部品50の挿入部52は、直線部分56と徐々に縮小する部分58を備えるため、挟槽20内に容易に挿入される。しかも、第一ハウジング10のサポート体14は定位部品50により開かれ、一対のサポート体14の横方向突出部18は、開かれて移動し、第二ハウジング30の接触固定面36上に接触して固定される。さらに、定位部品50の直線部分56の凹縁60と一対のサポート体14のフランジ22は、相互に係合して固定され、定位部品50の挿入定位を強化する(図５参照)。
【００１５】
よって、第一、二ハウジング10、30は、定位部品50を組合せて設置することで、迅速に組み立て固定される。しかも、第一、二ハウジング10、30を組み立て後は、内部空間を共同で定義し、空間内には、通信電子モジュール及び/或いは他の電子パーツなどの電子装置を設置することができる。
【００１６】
第一、二ハウジング10、30を分離して分解しようとする時には、定位部品50の挿入部52の長さは、挟槽20の深さとおおよそ相同であるため、定位部品50の頭部54は、挟槽20外に露出している。よって、定位部品50の頭部54を挟持し抜き取ることができ、これにより第一ハウジング10のサポート体14は、定位部品50に開かれることがなくなり、一対のサポート体14の横方向突出部18は、第二ハウジング30の接触固定面36上から離脱する。この時、第一、二ハウジング10、30の間には、一切の阻害がないため、第一、二ハウジング10、30を迅速に分解して分離することができる。
【００１７】
上記のように、本実施例により、組み立て業者は組み立て時にも工具に頼る必要がなくなり、迅速かつ便利に組み立てプロセスを完成させることができ、組み立て業者の生産時間とコストを大幅に低下させることができる。さらに、本考案の第一、二ハウジングは阻害のない対応設置であるため、ハウジング組み立て時の震動現象が発生せず、よって電子モジュールを第一、二ハウジング内に設置する時の安定性を確保することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案の要件である新規性を備え、従来の同類製品に比べ十分な進歩を有し、実用性が高く、社会のニーズに合致しており、産業上の利用価値は非常に大きい。
【符号の説明】
【００２０】
10  第一ハウジング
12  係合ロック部
14  サポート体
16  縦方向サポート部
18  横方向突出部
20  挟槽
22  フランジ
30  第二ハウジング
32  穿孔
34  内壁
36  接触固定面
50  定位部品
52  挿入部
54  頭部
56  直線部分
58  徐々に縮小する部分
60  凹縁
【図１】
0003158898.tif 000003
【図２】
0003158898.tif 000004
【図３】
0003158898.tif 000005
【図４】
0003158898.tif 000006
【図５】
0003158898.tif 000007